(57)【要約】【課題】電力線通信により複数の照明装置を制御する照明システムにおいて、複数の電力線に照明装置が接続されている場合に、調光信号の減衰を抑えつつ、照明システムのコストを抑制可能な構成で、各照明装置に調光信号を伝送可能にする。【解決手段】複数の照明装置２を備える照明システムＡにおいて、コントローラ１は、電力線通信により調光信号ＣＳ２を送信する。複数の照明装置２は、電力線４Ａに接続される照明装置２Ａと、電力線４Ｂに接続される照明装置２Ｂとを含む。コントローラ１は、調光信号ＣＳ２を出力する通信部１４と、通信部１４から出力された調光信号ＣＳ２を電力線４Ａに出力する第１パルストランスＴ１と、通信部１４から出力された調光信号ＣＳ２を電力線４Ｂに出力する第２パルストランスＴ２と、を備える。【選択図】図１
2020088504.tif 000002
【特許請求の範囲】
【請求項１】
複数の照明装置を備えた照明システムにおいて、電力線通信により調光信号を送信するコントローラであって、
前記複数の照明装置は、第１電力線に接続される第１照明装置と、前記第１電力線と異なる第２電力線に接続される第２照明装置とを含み、
前記コントローラは、
前記調光信号を出力する通信部と、
前記通信部から出力された調光信号を前記第１電力線に出力する第１パルストランスと、
前記通信部から出力された調光信号を前記第２電力線に出力する第２パルストランスと、を備えることを特徴とする照明システムのコントローラ。
【請求項２】
請求項１記載の照明システムのコントローラにおいて、
前記第１パルストランスは、前記第１電力線の交流電力に前記調光信号を重畳し、
前記第２パルストランスは、前記第２電力線の交流電力に前記調光信号を重畳することを特徴とする照明システムのコントローラ。
【請求項３】
請求項１または２記載の照明システムのコントローラにおいて、
前記第１パルストランスと前記第２パルストランスとは、並列に接続されていることを特徴とする照明システムのコントローラ。
【請求項４】
複数の照明装置と、電力線通信により調光信号を送信するコントローラとを備えた照明システムであって、
前記複数の照明装置は、第１電力線に接続される第１照明装置と、前記第１電力線と異なる第２電力線に接続される第２照明装置とを含み、
前記コントローラは、
前記調光信号を出力する通信部と、
前記通信部から出力された調光信号を前記第１電力線に出力する第１パルストランスと、
前記通信部から出力された調光信号を前記第２電力線に出力する第２パルストランスと、を備えることを特徴とする照明システム。
【請求項５】
請求項４記載の照明システムにおいて、
前記第１照明装置は、電力線通信により、前記第１電力線に出力された調光信号を受信し、受信した調光信号に基づいて、光源の態様を変化させ、
前記第２照明装置は、電力線通信により、前記第２電力線に出力された調光信号を受信し、受信した調光信号に基づいて、光源の態様を変化させることを特徴とする照明システム。
【発明の詳細な説明】
【技術分野】
【０００１】
本発明は、電力線通信により複数の照明装置を制御する照明システムにおいて、複数の電力線に分散して接続された照明装置の制御を行う技術に関するものである。
【背景技術】
【０００２】
照明システムでは、照明装置の光源の態様を示す調光信号をコントローラから送信して照明装置を制御するものがある。このような照明システムにおいて、コントローラと照明装置との間の調光信号の送受信に、例えば、電力線通信が用いられる。
【０００３】
特許文献１の通信システムでは、親局装置と子局装置との間で電力線通信が行われる。電力線通信では、電力線に印加される商用周波に、商用周波よりも高い周波数の通信信号を重畳して、通信が行われる。
【先行技術文献】
【特許文献】
【０００４】
【特許文献１】特開２００１−３１３５９５号公報
【発明の概要】
【発明が解決しようとする課題】
【０００５】
ところで、照明システム内に多くの照明装置が設置される場合、照明装置を接続する電力線のブレーカ容量の制約のため、照明装置を複数の電力線に分散して接続する場合がある。この場合、ブリッジとよばれる誘導結合器が電力線間に設けられ、ブリッジを介して調光信号が照明装置に伝送される。ブリッジは、電力線に重畳された信号（商用電源に含まれる高調波成分、すなわち、調光信号）を他の電力線に伝送するために用いられる。
【０００６】
しかし、ブリッジを介して調光信号を照明装置に伝送させると、調光信号の減衰が発生する。特に、クランプ式のブリッジを採用した場合には、調光信号が大きく減衰する。さらに、電力線間にブリッジを設けることは、照明システムのコスト増につながるため、好ましくない。
【０００７】
そこで、本発明は、電力線通信により複数の照明装置を制御する照明システムにおいて、複数の電力線に分散して照明装置が接続されている場合に、調光信号の減衰を抑えつつ、照明システムのコストを抑制可能な構成で、各照明装置に調光信号を伝送可能にすることを目的とする。
【課題を解決するための手段】
【０００８】
前記課題を解決するために、本発明の一実施形態に係る照明システムのコントローラは、複数の照明装置を備えた照明システムにおいて、電力線通信により調光信号を送信する。前記複数の照明装置は、第１電力線に接続される第１照明装置と、前記第１電力線と異なる第２電力線に接続される第２照明装置とを含む。前記コントローラは、前記調光信号を出力する通信部と、前記通信部から出力された調光信号を前記第１電力線に出力する第１パルストランスと、前記通信部から出力された調光信号を前記第２電力線に出力する第２パルストランスと、を備えることを特徴とする。
【発明の効果】
【０００９】
本発明によれば、電力線通信により複数の照明装置を制御する照明システムにおいて、複数の電力線に照明装置が接続されている場合に、調光信号の減衰を抑えつつ、照明システムのコストを抑制可能な構成で、各照明装置に調光信号を伝送可能にすることができる。
【図面の簡単な説明】
【００１０】
【図１】図１は、照明システムの概略構成を示すブロック図である。
【図２】図２は、照明システムの他の例を示すブロック図である。
【発明を実施するための形態】
【００１１】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００１２】
−照明システムの全体構成−
図１は、本実施形態に係る照明システムのブロック図である。なお、図１では、照明装置２Ａおよび２Ｂの内部構成は同一であるため、照明装置２Ｂの内部構成を省略して図示している。
【００１３】
照明システムＡは、コントローラ１と、複数の照明装置２（照明装置２Ａ，２Ｂ）とを備える。コントローラ１は、電力線４Ａ（第１電力線）を介して、照明装置２Ａ（第１照明装置）と接続されている。コントローラ１は、電力線４Ａと異なる電力線４Ｂ（第２電力線）を介して、照明装置２Ｂ（第２照明装置）と接続されている。また、コントローラ１および照明装置２Ａは、電力線４Ａを介して、交流電源５Ａから交流電力の供給を受けている。また、照明装置２Ｂは、電力線４Ｂを介して、交流電源５Ｂから交流電力の供給を受けている。交流電源５Ａ，５Ｂは、例えば、商用電源であり、５０Ｈｚまたは６０Ｈｚの交流電力をコントローラ１等に供給している。
【００１４】
コントローラ１および照明装置２Ａと交流電源５Ａとの間の電力線４Ａには、ブレーカ７Ａおよびフィルタ８Ａが設けられている。また、コントローラ１および照明装置２Ｂと交流電源５Ｂとの間の電力線４Ｂには、ブレーカ７Ｂおよびフィルタ８Ｂが設けられている。
【００１５】
ブレーカ７Ａ，７Ｂは、それぞれ、コントローラ１と交流電源５Ａとの間、コントローラ１と交流電源５Ｂとの間で異常な電流が流れたときに、交流電源５Ａ，５Ｂからコントローラ１等へ供給される交流電力を遮断する。
【００１６】
フィルタ８Ａ，８Ｂは、例えば、交流電力に含まれる高調波成分を除去するブロッキングフィルタである。具体的には、フィルタ８Ａ，８Ｂは、それぞれ、交流電源５Ａ，５Ｂから供給される交流電力に含まれる高周波成分を除去する。また、フィルタ８Ａ，８Ｂは、それぞれ、交流電力に重畳された調光信号ＣＳ２（詳しくは後述する）が、コントローラ１側から交流電源５Ａ，５Ｂ側に伝送されないように、交流電力に重畳された調光信号ＣＳ２を除去する。
【００１７】
コントローラ１は、コントローラ１の操作者の操作入力に応じた調光信号ＣＳ１を生成して、電力線通信により調光信号ＣＳ２を送信する。各照明装置２は、コントローラ１から送信される調光信号ＣＳ２に基づき、自己の光源２３の態様（光源の光量、色彩等）を変化させる。すなわち、照明システムＡでは、コントローラ１を操作することにより各照明装置２（照明装置２Ａ，２Ｂ）の光源２３の態様を変化させることができる。
【００１８】
−コントローラの構成−
コントローラ１は、電源部１０と、操作部１１と、記憶部１２と、制御部１３と、通信部１４と、第１パルストランスＴ１と、第２パルストランスＴ２とを備える。
【００１９】
電源部１０は、電力線４Ａを介して、交流電源５Ａから交流電力の供給を受ける。電源部１０に供給された交流電力は、図略の電力供給手段（例えば、電力線等）によりコントローラ１の各部に供給され、コントローラ１を動作させる。なお、電源部１０は、交流電源５Ｂから交流電力の供給を受けるようにしてもよい。
【００２０】
操作部１１は、コントローラ１の操作者からの操作入力を受け付ける。操作部１１は、例えば、キーボード、マウス、タッチパネル、フェーダ等の入力装置であり、各照明装置２の光源２３の態様（例えば、光量、色彩等を含む）を変化させるために行われた操作入力を検出し、検出結果に応じた信号を制御部１３に入力する。なお、コントローラ１に表示部を設けて、表示部に各照明装置２の光源２３の態様を表示させてもよい。
【００２１】
記憶部１２は、ＲＯＭ（Read Only Memory)、ＲＡＭ（Random Access Memory）、ＨＤＤ（Hard Disk Drive）およびＳＳＤ(Solid State Drive)等によって構成された記憶媒体である。記憶部１２には、制御部１３が実行する各種プログラムが記憶されている。
【００２２】
制御部１３は、例えば、ＣＰＵ（Central Processing Unit）および半導体メモリ等を含むマイクロコンピュータで構成される。制御部１３は、記憶部１２に記憶された各種プログラムを実行することにより、照明装置２Ａ，２Ｂと電力線通信を実行する。具体的には、制御部１３は、操作部１１から入力された信号に基づき、照明装置２の光源２３の態様を示す制御値を含む調光信号ＣＳ１を生成し、生成した調光信号ＣＳ１を通信部１４に出力する。制御部１３は、例えば、照明システムＡに含まれる全ての照明装置２の光源２３の態様を示す制御値を含む調光信号ＣＳ１を生成して出力してもよいし、特定の照明装置２の光源２３の態様を示す制御値のみを含む調光信号を生成して出力してもよい。
【００２３】
通信部１４は、制御部１３から出力された調光信号ＣＳ１を、交流電源５Ａ，５Ｂから供給される交流電力の周波数よりも高い周波数に変調して出力する。具体的には、通信部１４は、制御部１３が生成した調光信号ＣＳ１を２ＭＨｚ〜２８ＭＨｚの直交周波数分割多重方式（ＯＦＤＭ）に変調して、変調した調光信号ＣＳ２を出力する。
【００２４】
第１パルストランスＴ１は、一次巻線Ｔ１１と二次巻線Ｔ１２とを備える。一次巻線Ｔ１１と二次巻線Ｔ１２とは、互いに磁気的に結合されている。一次巻線Ｔ１１は、通信部１４から出力される調光信号ＣＳ２を受けるように、通信部１４に接続されている。また、二次巻線Ｔ１２は、電力線４Ａに接続されている。
【００２５】
第２パルストランスＴ２は、一次巻線Ｔ２１と二次巻線Ｔ２２とを備える。一次巻線Ｔ２１と二次巻線Ｔ２２とは、互いに磁気的に結合されている。一次巻線Ｔ２１は、通信部１４から出力される調光信号ＣＳ２を受けるように、一次巻線Ｔ１１と並列に接続されている。すなわち、コントローラ１の通信部１４から出力された調光信号ＣＳ２は、第１パルストランスＴ１の一次巻線Ｔ１１と、第２パルストランスＴ２の一次巻線Ｔ２１とに分岐して入力される。また、二次巻線Ｔ２２は、電力線４Ｂに接続されている。
【００２６】
−照明装置の構成−
照明装置２（照明装置２Ａ，２Ｂ）は、電源部２０と、通信部２１と、光源制御部２２と、光源２３とを備える。
【００２７】
電源部２０は、電力線４（電力線４Ａまたは電力線４Ｂ）を介して交流電源５（交流電源５Ａまたは交流電源５Ｂ）から交流電力の供給を受ける。電源部２０に供給された交流電力は、光源制御部２２を介して光源２３に供給される。
【００２８】
通信部２１は、電力線４（電力線４Ａまたは電力線４Ｂ）を介して供給された交流電力から、交流電力に重畳された調光信号ＣＳ２を分離して、調光信号ＣＳ２を調光信号ＣＳ１に復号する。通信部２１は、復号した調光信号ＣＳ１を光源制御部２２に入力する。
【００２９】
光源制御部２２は、例えば、ＣＰＵおよび半導体メモリ等を含むマイクロコンピュータで構成される。光源制御部２２は、通信部１４から入力された調光信号ＣＳ１に含まれる自己の光源２３の制御値に基づき、光源２３に供給する電力量等を変化させ、自己の光源２３の態様を変化させる。なお、光源制御部２２は、調光信号ＣＳ１に含まれる自己の光源２３の制御値に基づき、光源２３に供給する電力量等を変化させる電気回路でもよい。
【００３０】
−パルストランスの特性について−
パルストランスは、互いに磁気的に結合された一次巻線および二次巻線によって構成される。そして、パルストランスは、一方の巻線に入力された信号のうち、所定の周波数以上の信号のみを他方の巻線に伝送するという特性を有する。
【００３１】
第１および第２パルストランスＴ１，Ｔ２の一次巻線Ｔ１１，Ｔ２１には、コントローラ１の通信部１４から調光信号ＣＳ２が入力される。また、第１パルストランスＴ１の二次巻線Ｔ１２には、交流電源５Ａから交流電力が供給されている。また、第２パルストランスＴ２の二次巻線Ｔ２２には、交流電源５Ｂから交流電力が供給されている。また、調光信号ＣＳ２は、交流電源５Ａまたは５Ｂから供給される交流電力よりも高い周波数である。
【００３２】
本実施形態では、第１パルストランスＴ１は、一次巻線Ｔ１１に入力された調光信号ＣＳ２が二次巻線Ｔ１２に伝送されるが、二次巻線Ｔ１２に入力された信号（すなわち、交流電力に応じた信号）が一次巻線Ｔ１１に伝送されないように、所定の周波数が定められている。同様に、第２パルストランスＴ２は、一次巻線Ｔ２１に入力された調光信号ＣＳ２が二次巻線Ｔ２２に伝送されるが、二次巻線Ｔ２２に入力された信号（すなわち、交流電力に応じた信号）が一次巻線Ｔ２１に伝送されないように、所定の周波数が定められている。このため、通信部１４から一次巻線Ｔ１１，Ｔ２１に調光信号ＣＳ２が入力されると、一次巻線Ｔ１１，Ｔ２１が受けた調光信号ＣＳ２が二次巻線Ｔ１２，Ｔ２２に伝送される。
【００３３】
また、上述したように、二次巻線Ｔ１２には、交流電源５Ａから交流電力が供給されており、二次巻線Ｔ２２には、交流電源５Ｂから交流電力が供給されている。このため、一次巻線Ｔ１１，Ｔ２１に調光信号ＣＳ２が入力されると、二次巻線Ｔ１２，Ｔ２２に供給されている交流電力に、一次巻線Ｔ１１，Ｔ２１が受けた調光信号ＣＳ２が重畳される。言い換えると、第１パルストランスＴ１は、電力線４Ａの交流電力に、通信部１４から出力された調光信号ＣＳ２を重畳し、第２パルストランスＴ２は、電力線４Ｂの交流電力に通信部１４から出力された調光信号ＣＳ２を重畳する。すなわち、一次巻線Ｔ１１，Ｔ２１に調光信号ＣＳ２が入力されると、調光信号ＣＳ２が重畳された交流電力が、二次巻線Ｔ１２から電力線４Ａに、二次巻線Ｔ２２から電力線４Ｂに、それぞれ出力される。
【００３４】
−照明システムの動作について−
次に、本実施形態に係る照明システムＡの動作について説明する。
【００３５】
コントローラ１の通信部１４は、制御部１３から出力された調光信号ＣＳ１を受けて、調光信号ＣＳ１を調光信号ＣＳ２に変調する。通信部１４は、変調した調光信号ＣＳ２を出力する。
【００３６】
第１パルストランスＴ１は、通信部１４が出力した調光信号ＣＳ２を一次巻線Ｔ１１に受ける。第１パルストランスＴ１は、一次巻線Ｔ１１が受けた調光信号ＣＳ２を二次巻線Ｔ１２に伝送する。第１パルストランスＴ１は、二次巻線Ｔ１２に伝送された調光信号ＣＳ２を、電力線４Ａから供給される交流電力に重畳して、電力線４Ａに出力する。
【００３７】
照明装置２Ａの通信部２１は、電力線４Ａを介して、調光信号ＣＳ２が重畳された交流電力の供給を受ける。通信部２１は、供給された交流電力から調光信号ＣＳ２を分離して、調光信号ＣＳ２を調光信号ＣＳ１に復号する。通信部２１は、復号した調光信号ＣＳ１を光源制御部２２に出力する。光源制御部２２は、通信部２１から出力された調光信号ＣＳ１に基づいて、自己の光源２３の態様を変化させる。すなわち、照明装置２Ａは、電力線通信により、コントローラ１から電力線４Ａに出力された調光信号ＣＳ２を受信し、受信した調光信号ＣＳ２に基づき、自己の光源２３の態様を変化させる。
【００３８】
ここで、第２パルストランスＴ２の一次巻線Ｔ２１は、通信部１４から出力される調光信号ＣＳ２を受けるように、第１パルストランスＴ１の一次巻線Ｔ１１と並列に接続されている。すなわち、コントローラ１の通信部１４から調光信号ＣＳ２が出力されると、調光信号ＣＳ２は、第１パルストランスＴ１の一次巻線Ｔ１１と、第２パルストランスＴ２の一次巻線Ｔ２１とに分岐して入力される。
【００３９】
第２パルストランスＴ２は、通信部１４が出力した調光信号ＣＳ２を一次巻線Ｔ２１に受ける。第２パルストランスＴ２は、一次巻線Ｔ２１に受けた調光信号ＣＳ２を二次巻線Ｔ２２に伝送する。第２パルストランスＴ２は、二次巻線Ｔ２２に伝送された調光信号ＣＳ２を、電力線４Ｂから供給される交流電力に重畳して、電力線４Ｂに出力する。
【００４０】
照明装置２Ｂは、照明装置２Ａと同様に、電力線４Ｂから供給される交流電力から調光信号ＣＳ２を分離して、調光信号ＣＳ１を復号する。そして、照明装置２Ｂは、復号した調光信号ＣＳ１に基づいて、自己の光源２３の態様を変化させる。すなわち、照明装置２Ｂは、電力線通信により、コントローラ１から電力線４Ｂに出力された調光信号ＣＳ２を受信し、受信した調光信号ＣＳ２に基づき、自己の光源２３の態様を変化させる。
【００４１】
以上のように、本実施形態に係る照明システムＡでは、コントローラ１の通信部１４から出力された調光信号ＣＳ２が、並列に接続された第１パルストランスＴ１の一次巻線Ｔ１１と、第２パルストランスＴ２の一次巻線Ｔ２１とに分岐されて入力される。第１パルストランスＴ１の一次巻線Ｔ１１に入力された調光信号ＣＳ２は、第１パルストランスＴ１の二次巻線Ｔ１２および電力線４Ａ（第１電力線）を介して照明装置２Ａ（第１照明装置）に伝送される。また、第２パルストランスＴ２の一次巻線Ｔ２１に入力された調光信号ＣＳ２は、二次巻線Ｔ２２および電力線４Ｂ（第２電力線）を介して照明装置２Ｂ（第２照明装置）に伝送される。
【００４２】
ここで、調光信号ＣＳ２を、電力線同士の間に設けられたブリッジを介して、各照明装置２に伝送する照明システムの場合、調光信号ＣＳ２は、ブリッジを介して伝送されるときに大きく減衰する。これに対して、本実施形態に係る照明システムＡでは、調光信号ＣＳ２を、ブリッジを介さずに、各照明装置２に伝送するため、調光信号ＣＳ２の減衰を抑えることができる。また、電力線４Ａ，４Ｂ間にブリッジを設ける必要がないので、照明システムのコストを抑制することができる。
【００４３】
また、第１パルストランスＴ１の一次巻線Ｔ１１と、第２パルストランスＴ２の一次巻線Ｔ２１とが、いずれも、通信部１４から出力された調光信号ＣＳ２を受けるように、並列に接続されているため、一次巻線Ｔ１１と一次巻線Ｔ２１とを直列に接続したときよりも、調光信号ＣＳ２が減衰しにくい。
【００４４】
また、第１パルストランスＴ１の一次巻線Ｔ１１と、第２パルストランスＴ２の一次巻線Ｔ２１とを直列に接続した場合、例えば、交流電源５Ｂから照明装置２Ｂへの交流電力の供給をブレーカ７Ｂにより遮断したときに、第１および第２パルストランスＴ１，Ｔ２を介して、交流電源５Ａから照明装置２Ｂへ交流電力が供給されてしまうことがある。同様に、交流電源５Ａから照明装置２Ａへの交流電力の供給をブレーカ７Ａにより遮断したときに、第１および第２パルストランスＴ１，Ｔ２を介して、交流電源５Ｂから照明装置２Ａへ交流電力が供給されてしまうことがある。これに対して、本実施形態では、一次巻線Ｔ１１と一次巻線Ｔ２１とが並列に接続されているため、ブレーカ７Ａ，７Ｂにより交流電源５Ａ，５Ｂから供給される交流電力を遮断したときに、第１および第２パルストランスＴ１，Ｔ２を介して、他方の電力線４に交流電力が供給されにくい。
【００４５】
（その他の実施形態）
以上のように、本出願において開示する技術の例示として、実施形態について説明した。しかしながら、本開示における技術は、これに限定されず、適宜、変更、置き換え、付加、省略などを行った実施形態にも適用可能である。また、上記実施形態で説明した各構成要素を組み合わせて、新たな実施の形態とすることも可能である。
【００４６】
上記実施形態について、以下のような構成としてもよい。なお、特に言及しない限り、照明システムＡは、図１と同様に構成されているものとする。
【００４７】
図２では、複数の照明装置２が電力線４Ａ，４Ｂを含む５本の電力線４に接続されている。具体的には、照明装置２Ｃ，２Ｄ，２Ｅが、それぞれ、電力線４Ｃ，４Ｄ，４Ｅと接続されている。そして、照明装置２Ｃ，２Ｄ，２Ｅは、ぞれぞれ、交流電源５Ｃ，５Ｄ，５Ｅから交流電力の供給を受けている。また、コントローラ１には、第３パルストランスＴ３、第４パルストランスＴ４および第５パルストランスＴ５がさらに設けられている。第３〜第５パルストランスＴ３，Ｔ４，Ｔ５の一次巻線は、いずれも第１パルストランスＴ１の一次巻線Ｔ１１と並列に接続されている。また、第３〜第５パルストランスＴ３，Ｔ４，Ｔ５の二次巻線は、それぞれ、電力線４Ｃ，４Ｄ，４Ｅと接続されている。図２のように構成しても、コントローラ１の通信部１４から出力される調光信号ＣＳ２が、第１〜第５パルストランスＴ１〜Ｔ５のそれぞれの一次巻線に分岐して入力されるため、コントローラ１から出力される調光信号ＣＳ２の減衰を抑えることができる。なお、電力線４が５本以外の複数本の場合であっても、同様に構成すればよい。
【００４８】
なお、上記実施形態において、各照明装置２の通信部２１が自己の光源２３の態様を示す調光信号ＣＳ２を送信して、コントローラ１が調光信号ＣＳ２を受信してもよい。この場合には、照明装置２の通信部２１から自己の光源２３の態様を示す調光信号ＣＳ２が交流電力に重畳されて、電力線４（電力線４Ａ〜４Ｅ）に出力される。調光信号ＣＳ２が重畳された交流電力は、コントローラ１の第１〜第５パルストランスＴ１〜Ｔ５のいずれかの二次巻線に入力される。第１〜第５パルストランスＴ１〜Ｔ５のいずれかの二次巻線に入力された交流電力のうち、交流電力に重畳された調光信号ＣＳ２のみが一次巻線に伝送され（調光信号ＣＳ２のみが所定の周波数以上であるため）、コントローラ１の通信部１４に入力される。
【産業上の利用可能性】
【００４９】
本発明は、電力線通信により複数の照明装置を制御する照明システムにおいて、異なる電力線に照明装置が接続されている照明システムに適用可能である。
【符号の説明】
【００５０】
Ａ  照明システム
１  コントローラ
１３  制御部
１４  通信部
Ｔ１  第１パルストランス
Ｔ２  第２パルストランス
２  照明装置
２Ａ  照明装置（第１照明装置）
２Ｂ  照明装置（第２照明装置）
２１  通信部
２２  光源制御部
２３  光源
４  電力線
４Ａ  電力線（第１電力線）
４Ｂ  電力線（第２電力線）
【図１】
2020088504.tif 000003
【図２】
2020088504.tif 000004